(57)【要約】【課題】複数のデータ候補から所望のデータを容易かつ迅速に検索できる装置等を提供することを目的とする。【解決手段】コンピュータの記憶装置には、一定の順序付けがなされた顧客識別情報と対応付けられた顧客ファイルが記憶されている。検索者が表示モニタに並んだ行アイコンを入力装置でワンクリックすると、処理装置は、選択方法がワンクリックであると判断し、入力装置から受け付けた顧客識別情報に基づいて現在表示されている顧客を特定し、その顧客の五十音順で次の顧客を表示モニタに表示させる。また検索者が入力装置でダブルクリックすると、処理装置は、選択方法がダブルクリックであると判断し、入力装置から受け付けた顧客識別情報に基づいて現在表示されている顧客を特定し、五十音順で次段の文字から始まる顧客を表示モニタに表示させる。【選択図】図３
2008225934.tif 000002
【特許請求の範囲】
【請求項１】
一定の順序付けがなされている識別情報と管理情報とを対応付けて記憶する管理情報記憶手段と、次の情報を表示すべき命令を行うための表示命令アイコンを表示するアイコン表示手段と、現在表示している前記管理情報に対応付けられた前記識別情報を特定する現表示情報特定手段と、前記表示命令アイコンがクリックされたか否かを判別するクリック判別手段と、前記クリック判別手段により前記表示命令アイコンがクリックされたと判別された場合は前記現表示情報特定手段により特定された前記識別情報の次順の識別情報に対応付けられた前記管理情報を表示する次順情報表示手段とを備えることを特徴とするデータ検索装置。
【請求項２】
前記クリックとはワンクリックであることを特徴とする請求項１記載のデータ検索装置。
【請求項３】
一定の順序付けがなされている識別情報と管理情報とを対応付けて記憶する管理情報記憶手段と、次の情報を表示すべき命令を行うための表示命令アイコンを表示するアイコン表示手段と、現在表示している前記管理情報に対応付けられた前記識別情報を特定する現表示情報特定手段と、前記表示命令アイコンがクリックされたか否かを判断するクリック判別手段と、前記判別手段により前記表示命令アイコンがクリックされたと判別された場合は前記現表示情報特定手段により特定された前記識別情報から任意の識別情報を飛ばす飛ばし処理を行う飛ばし処理手段と、前記飛ばし処理により特定された前記識別情報に対応付けられた前記管理情報を表示する飛ばし情報表示手段とを備えることを特徴とするデータ検索装置。
【請求項４】
前記クリックとはワンクリック以外のクリックであることを特徴とする請求項３記載のデータ検索装置。
【請求項５】
所定の飛ばし量を記憶する所定飛ばし量記憶手段を備え、前記飛ばし処理とは前記所定飛ばし量だけ飛ばす処理であることを特徴とする請求項３乃至４記載のデータ検索装置。
【請求項６】
管理情報量に応じて設定された飛ばし情報を記憶する飛ばし情報記憶手段を備え、前記所定飛ばし量とは前記識別情報に基づいて前記飛ばし情報を検索して抽出した飛ばし量であることを特徴とする請求項５記載のデータ検索装置。
【請求項７】
コンピュータを、一定の順序付けがなされている識別情報と管理情報とを対応付けて記憶する管理情報記憶手段、次の情報を表示すべき命令を行うための表示命令アイコンを表示するアイコン表示手段、現在表示している前記管理情報に対応付けられた前記識別情報を特定する現表示情報特定手段、前記表示命令アイコンがクリックされたか否かを判別するクリック判別手段、前記クリック判別手段により前記表示命令アイコンがクリックされたと判別された場合は前記現表示情報特定手段により特定された前記識別情報の次順の識別情報に対応付けられた前記管理情報を表示する次順情報表示手段として機能させることを特徴とするデータ検索のためのコンピュータプログラム。
【請求項８】
前記クリックとはワンクリックであることを特徴とする請求項７記載のデータ検索のためのコンピュータプログラム。
【請求項９】
コンピュータを、一定の順序付けがなされている識別情報と管理情報とを対応付けて記憶する管理情報記憶手段、次の情報を表示すべき命令を行うための表示命令アイコンを表示するアイコン表示手段、現在表示している前記管理情報に対応付けられた前記識別情報を特定する現表示情報特定手段、前記表示命令アイコンがクリックされたか否かを判断するクリック判別手段、前記判別手段により前記表示命令アイコンがクリックされたと判別された場合は前記現表示情報特定手段により特定された前記識別情報から任意の識別情報を飛ばす飛ばし処理を行う飛ばし処理手段、前記飛ばし処理により特定された前記識別情報に対応付けられた前記管理情報を表示する飛ばし情報表示手段として機能させることを特徴とするデータ検索のためのコンピュータプログラム。
【請求項１０】
前記クリックとはワンクリック以外のクリックであることを特徴とする請求項９記載のデータ検索のためのコンピュータプログラム。
【請求項１１】
前記コンピュータを、所定の飛ばし量を記憶する所定飛ばし量記憶手段として機能させ、前記飛ばし処理とは前記所定飛ばし量だけ飛ばす処理であることを特徴とする請求項９乃至１０記載のデータ検索のためのコンピュータプログラム。
【請求項１２】
前記コンピュータを、管理情報量に応じて設定された飛ばし情報を記憶する飛ばし情報記憶手段として機能させ、前記所定飛ばし量とは前記識別情報に基づいて前記飛ばし情報を検索して抽出した飛ばし量であることを特徴とする請求項１１記載のデータ検索のためのコンピュータプログラム。
【請求項１３】
コンピュータが、一定の順序付けがなされている識別情報と管理情報とを対応付けて記憶し、次の情報を表示すべき命令を行うための表示命令アイコンを表示し、現在表示している前記管理情報に対応付けられた前記識別情報を特定する現表示情報特定処理を行い、前記表示命令アイコンがクリックされたか否かを判別するクリック判別処理を行い、前記クリック判別処理により前記表示命令アイコンがクリックされたと判別された場合は前記現表示情報特定処理により特定された前記識別情報の次順の識別情報に対応付けられた前記管理情報を表示することを特徴とするデータ検索方法。
【請求項１４】
前記クリックとはワンクリックであることを特徴とする請求項１３記載のデータ検索方法。
【請求項１５】
コンピュータが、一定の順序付けがなされている識別情報と管理情報とを対応付けて記憶し、次の情報を表示すべき命令を行うための表示命令アイコンを表示し、現在表示している前記管理情報に対応付けられた前記識別情報を特定する現表示情報特定処理を行い、前記表示命令アイコンがクリックされたか否かを判断するクリック判別処理を行い、前記判別処理により前記表示命令アイコンがクリックされたと判別された場合は前記現表示情報特定処理により特定された前記識別情報から任意の識別情報を飛ばす飛ばし処理を行い、前記飛ばし処理により特定された前記識別情報に対応付けられた前記管理情報を表示することを特徴とするデータ検索方法。
【請求項１６】
前記クリックとはワンクリック以外のクリックであることを特徴とする請求項１５記載のデータ検索方法。
【請求項１７】
前記コンピュータが、所定の飛ばし量を記憶する所定飛ばし量記憶処理を行い、前記飛ばし処理とは前記所定飛ばし量だけ飛ばす処理であることを特徴とする請求項１５乃至１６記載のデータ検索方法。
【請求項１８】
前記コンピュータが、管理情報量に応じて設定された飛ばし情報を記憶し、前記所定飛ばし量とは前記識別情報に基づいて前記飛ばし情報を検索して抽出した飛ばし量であることを特徴とする請求項１７記載のデータ検索方法。
【発明の詳細な説明】
【技術分野】
【０００１】
本発明は、複数のデータ候補から所望のデータを容易かつ迅速に検索できる装置等に関するものである。
【背景技術】
【０００２】
複数のデータの中から所望のデータを検索する場合、例えばある住所録の中から「佐藤一郎」を検索する場合には、まず表示モニタ上の「さ行」を選択し、表示モニタに表示された「さ行」から始まる氏名一覧の中から所望の「佐藤一郎」の名前を見つけ出してそれを選択するのが一般的である。そしてその際、「さ行」から始まる氏名が表示モニタ上に表示しきれない程多数の場合には、画面をスクロール操作して検索効率を高めることも既に知られている。
なお上記検索方法は既に周知であるため、これに関する先行技術文献は特に示さない。
【発明の開示】
【発明が解決しようとする課題】
【０００３】
上述のような既存の検索方法では、例えば表示モニタが非常に小さい場合や、表示できるスペースが限られている場合には、氏名一覧をモニタ上に表示しきれないという不都合があった。またスクロール操作にしても、表示モニタの右端等に表示されているスクロールバーにマウスポインタを合わせ、さらにその部分を操作する必要があり、煩雑な作業が必要であった。
【０００４】
本発明はこのような問題に鑑みてなされたものであり、複数のデータ候補から所望のデータを容易かつ迅速に検索できる装置等を提供するものである。
【課題を解決するための手段】
【０００５】
本発明は、例えば以下のような手段を備える装置、以下のような処理を行う方法（以下のようなステップから構成される方法）、各種手段（コンピュータ等）を以下のように機能させるコンピュータプログラムである。
（１）一定の順序付けがなされている識別情報と管理情報とを対応付けて記憶する管理情報記憶手段と、次の情報を表示すべき命令を行うための表示命令アイコンを表示するアイコン表示手段と、現在表示している前記管理情報に対応付けられた前記識別情報を特定する現表示情報特定手段と、前記表示命令アイコンがクリックされたか否かを判別するクリック判別手段と、前記クリック判別手段により前記表示命令アイコンがクリックされたと判別された場合は前記現表示情報特定手段により特定された前記識別情報の次順の識別情報に対応付けられた前記管理情報を表示する次順情報表示手段とを備える。
（２）前記クリックとはワンクリックである。
（３）一定の順序付けがなされている識別情報と管理情報とを対応付けて記憶する管理情報記憶手段と、次の情報を表示すべき命令を行うための表示命令アイコンを表示するアイコン表示手段と、現在表示している前記管理情報に対応付けられた前記識別情報を特定する現表示情報特定手段と、前記表示命令アイコンがクリックされたか否かを判断するクリック判別手段と、前記判別手段により前記表示命令アイコンがクリックされたと判別された場合は前記現表示情報特定手段により特定された前記識別情報から任意の識別情報を飛ばす飛ばし処理を行う飛ばし処理手段と、前記飛ばし処理により特定された前記識別情報に対応付けられた前記管理情報を表示する飛ばし情報表示手段とを備える。
（４）前記クリックとはワンクリック以外のクリックである。
（５）所定の飛ばし量を記憶する所定飛ばし量記憶手段を備え、前記飛ばし処理とは前記所定飛ばし量だけ飛ばす処理である。
（６）管理情報量に応じて設定された飛ばし情報を記憶する飛ばし情報記憶手段を備え、前記所定飛ばし量とは前記識別情報に基づいて前記飛ばし情報を検索して抽出した飛ばし量である。
【発明の効果】
【０００６】
本発明には次のような効果がある。
（１）一つの表示アイコンという一固定箇所を、ただワンクリックするだけで次順のデータに切り替わっていくので、スクロール操作などマウスポインタの移動が必要な煩雑な作業が軽減され、検索効率がよい。
（２）ワンクリック後には一つのデータのみが表示されるので、確実に所望のデータを検出できる。また表示モニタが非常に小さい場合や、表示できるスペースが限られている場合でも、確実に該当データを表示することができる。
（３）表示データをダブルクリックした場合に、所定の情報量（例えば所定人数分の情報）だけ飛ばして表示するようにすれば、検索効率の良いものとなる。
また、例えば現在「さ」から始まる顧客が表示されている時にダブルクリックすると、次の「し」から始まる顧客が表示されるようにすれば、さらに検索が容易となる。
（４）記憶されている情報量（例えば登録人数）を考慮して飛ばす情報量（例えば飛ばす人数）を設定すれば、さらに検索効率の良いものとなる。
【発明を実施するための最良の形態】
【０００７】
本発明は、複数のデータ候補から所望のデータを容易かつ迅速に検索できる装置等に関するものである。
【実施例１】
【０００８】
本発明の実施形態を、以下図面に基づいて説明する。図１は本発明の実施に必要なハードウェアを表した概略図である。これは一般的なコンピュータの概略図であり、このコンピュータには入力装置（キーボードやマウス、タッチパッド等）、処理装置、記憶装置及び出力装置（表示モニタやプリンタ）が備えられている。そして記憶装置には、本発明を実現するためのコンピュータプログラムや所定のデータが記憶されており、コンピュータはこのコンピュータプログラムの処理命令に従って所定の処理を行い本発明を実施する。
【０００９】
次に、本発明を実現するための処理について説明する。本実施例では、顧客ファイルから所望のデータを検索する場合を例に説明するが、本実施例１を簡略して説明すれば、ワンクリックすると五十音順で次の順位の人のデータが表示され、ダブルクリックすると、五十音順で次の文字（「さ」であれば、次の「し」、つまり次段文字）から始まる最初の人のデータが表示されるというものである。
【００１０】
図２に示す通り、コンピュータの記憶装置には顧客ファイルが記憶されている。これは、各人（又は各会社）の氏名（社名）・顧客ＩＤ・通し番号等が各々関連付けて記憶されているもので、複数の顧客レコードからなるものである。なお図２の顧客ＩＤ「ＳＡ００３」とは、五十音順で「さ」で始まる人の第３番目という意味であり、通し番号「０２９５」とは、顧客ファイルに記憶されている全顧客を五十音順にした場合の通し順の意味であるが、このような意味に限定するものではない。本実施例では、この顧客ファイルが管理情報としての役割を果たし、これを記憶している記憶装置が管理情報記憶手段としての役割を果たす。
【００１１】
以下は、検索者が「佐藤一郎」のデータを検索する場合を例に説明する。処理フローは図３に示す通りである。なお図３における「次段人」とは、次段文字で始まる人、すなわち「さ」であれば次段の「し」で始まる人の意味である。
表示モニタには、図４に示す通り、「あ」「か」「さ」・・・「わ」の行アイコン（表示命令アイコン）が表示されており、現在は「坂井一雄」のデータが表示されているとする。検索者は、「佐藤一郎」のデータを呼び出すため、表示モニタの「さ」アイコンを入力装置でワンクリックする。これにより処理装置は、表示要求情報「選択方法：ワンクリック／顧客ＩＤ：ＳＡ００３」を入力装置から受け付ける。なお本実施例では、「顧客ＩＤ」が識別情報としての役割を果たし、表示モニタがアイコン表示手段としての役割を果たす。
そして処理装置は、選択方法がワンクリックであると判断し、従ってこの場合、現在表示されているデータ「坂井一雄」の次順位の顧客を表示させる処理を行う。
【００１２】
具体的には、処理装置は、まず選択方法がワンクリックであると判断した後、入力装置から受け付けた「顧客ＩＤ：ＳＡ００３」に、予め記憶装置に記憶されている加算情報の「１」を加算する処理を行い、「顧客ＩＤ：ＳＡ００４」とし、「顧客ＩＤ：ＳＡ００４」を検索キーに顧客ファイル（図２）を検索し、該当する「佐藤一郎」のデータを抽出し（図５）、これを表示モニタに表示させる。
本実施例では、この処理を行う処理装置が、現表示情報特定手段、クリック判別手段及び次順情報表示手段としての役割を果たす。
【００１３】
以上のようにして、「佐藤一郎」のデータを検索することができる。なお、所望のデータが、「さ行」の後半、例えば「そ」で始まる氏名を検索する場合には、表示モニタの「さ」アイコンを何度もワンクリックしていけばよい。
ただしこの場合、「さ行」に登録されている人数が非常に多い場合には、何度もワンクリックしなければならず、検索効率が悪い。そこで検索効率を高めるために、以下のような方法が考えられる。
【００１４】
今、図４に示すように、表示モニタには「坂井一雄」のデータが表示されており、そしてこれから、「塩川五郎」を検索しようとする。
この場合、検索者は、入力装置で「さ」アイコンをダブルクリックする。これにより処理装置は、表示要求情報「選択方法：ダブルクリック／顧客ＩＤ：ＳＡ００３」を入力装置から受け付ける。そして処理装置は選択方法がダブルクリックであると判断し、この場合には、「さ」の次の「し」で始まる顧客を表示させる処理を行う。つまり、ダブルクリックの場合は、「さ」から始まる顧客から、「し」で始まる顧客へと一気にジャンプするのである。
【００１５】
具体的には、処理装置は、まず選択方法がダブルクリックであると判断した後、入力装置から受け付けた「顧客ＩＤ：ＳＡ００３」の「ＳＡ」部分を参照し、予め記憶装置に記憶されている五十音データ（図６）から、「ＳＡ」（さ）の次は「ＳＩ」（し）であると判断して、「顧客ＩＤ：ＳＩ００１」（「し」で始まる第１番目の顧客データ）を作成し、この「顧客ＩＤ：ＳＩ００１」を検索キーに顧客ファイル（図２）を検索し、該当する「塩田五郎」のデータを抽出し（図７）、これを表示モニタに表示させる。なお、この処理を行う処理装置が、現表示情報特定手段、クリック判別手段、飛ばし処理手段及び飛ばし情報表示手段としての役割を果たす。
【００１６】
これにより、「塩川五郎」を検索するのに、「さ」アイコンを何度もワンクリックする必要はなくなり、「さ」アイコンをダブルクリックするだけで、「し」で始まる顧客へとジャンプし、「塩川五郎」を効率よく検索することができるのである。
【実施例２】
【００１７】
実施例１では、「さ」アイコンをダブルクリックすると、「し」で始まる顧客にジャンプしたが、本実施例２では、所定人数（例えば１０人）だけ飛ばすという処理を行う。処理フローは図８に示す通りである。
今、図４に示すように、表示モニタには「坂井一雄」のデータが表示されているとする。ここで検索者は、入力装置で「さ」アイコンをダブルクリックする。これにより処理装置は、表示要求情報「選択方法：ダブルクリック／顧客ＩＤ：ＳＡ００３」を入力装置から受け付ける。そして処理装置は、選択方法がダブルクリックであると判断し、所定人数（例えば１０人）だけ飛ばして、次の顧客を表示させる処理を行う。
【００１８】
具体的には、処理装置は、まず選択方法がダブルクリックであると判断した後、入力装置から受け付けた「顧客ＩＤ：ＳＡ００３」を検索キーに顧客ファイル（図２）を検索し、「坂井一雄」のデータを抽出して、その「通し番号：０２９５」を取得する。なお、この処理を行う処理装置が、現表示情報特定手段及びクリック判別手段としての役割を果たす。
次に処理装置は、記憶装置に記憶されている飛ばし人数第一データ（図９）を参照し、「飛ばし人数：１０人」を取得して、坂井一雄のデータの「通し番号：０２９５」にこの「１０」を加算する処理を行う。そしてその加算処理によって取得した「通し番号：０３０５」を検索キーに、顧客ファイル（図２）を検索し、「澤田裕一」のデータを取得して、これを表示モニタに表示させる（図１０）。
本実施例では、この処理を行う処理装置が、飛ばし処理手段及び飛ばし情報表示手段としての役割を果たす。また、飛ばし人数第一データが、所定飛ばし量としての役割を果たし、これを記憶している記憶装置が所定飛ばし量記憶手段としての役割を果たす。
【００１９】
なお図９では、一律に飛ばし人数を１０人としているが、「あ行：１０人」「か行：１５人」など、飛ばし人数を行ごとに設定してもよい。
このような方法により、行アイコンを何度もワンクリックすることなしに、所望のデータを効率よく検索することができる。
【実施例３】
【００２０】
実施例２では、行アイコンをダブルクリックすると、所定人数だけ飛ばして次の顧客を表示するようにしたが、この場合、以下のような問題がある。すなわち、例えば、「さ行」に登録されている顧客は１００人いるが、「わ行」には１５人しか登録されていない場合、飛ばし人数が「１０人」という一定の飛ばし幅では、「さ行」に関しては適当であるが、「わ行」に関しては不都合である。よって登録人数が多い行については、飛ばし人数も多くし、登録人数が少ない行については、飛ばし人数も少なくする、すなわち、登録人数に応じた飛ばし幅を設けることが好ましい。
【００２１】
以下、具体的処理について説明する。
今、図４に示すように、表示モニタには「坂井一雄」のデータが表示されているとする。ここで検索者は、入力装置で「さ」アイコンをダブルクリックする。これにより処理装置は、表示要求情報「選択方法：ダブルクリック／顧客ＩＤ：ＳＡ００３」を入力装置から受け付ける。そして処理装置は、選択方法がダブルクリックであると判断し、「さ行」に登録されている人数に応じた分だけ飛ばして、次の顧客を表示させる処理を行う。
【００２２】
具体的には、処理装置は、まず選択方法がダブルクリックであると判断した後、入力装置から受け付けた「顧客ＩＤ：ＳＡ００３」を検索キーに顧客ファイル（図２）を検索し、「坂井一雄」のデータを抽出して、その「通し番号：０２９５」を取得する。なお、この処理を行う処理装置が、現表示情報特定手段及びクリック判別手段としての役割を果たす。
【００２３】
次に処理装置は、入力装置から受け付けた「顧客ＩＤ：ＳＡ００３」の「ＳＡ」部分を参照し、予め記憶装置に記憶されている五十音データ（図６）から、「ＳＡ」は「さ行」に属すると判断し、これを基に記憶装置に記憶されている飛ばし人数第二データ（図１１）を参照する。この飛ばし人数第二データは、各行に登録されている人数と飛ばし人数とが対応付けて記憶されているもので、登録人数に応じた飛ばし幅を設けることが可能となるものである。
なお本実施例では、この飛ばし人数第二データが飛ばし情報としての役割を果たし、これを記憶している記憶装置が飛ばし情報記憶手段としての役割を果たす。また各行の登録人数が管理情報量としての役割を果たし、各行の飛ばし人数が飛ばし量としての役割を果たす。
処理装置は、「さ行」を検索キーにして、飛ばし人数第二データ（図１１）を検索し、「飛ばし人数：３０人」を取得する。
【００２４】
そして、前述の通り、入力装置から受け付けた「顧客ＩＤ：ＳＡ００３」を検索キーに顧客ファイル（図２）を検索して抽出した「通し番号：０２９５」に、上述の「３０」を加算する処理を行う。そしてその加算処理によって取得した「通し番号：０３２５」を検索キーに、顧客ファイル（図２）を検索し、「須田聡」のデータを取得して、これを表示モニタに表示させる（図１２）。本実施例では、この処理を行う処理装置が、飛ばし処理手段及び飛ばし情報表示手段としての役割を果たす。
これにより、登録人数が多い行は飛ばし幅を大きくし、登録人数が少ない行は飛ばし幅を小さくすることができ、登録人数に応じた適切な飛ばし幅を設けることが可能となる。
【００２５】
本実施例では、クリック（ワンクリック及びダブルクリックを含む。以下同じ。）する箇所は、行アイコンとしているが、これに限定するものではなく、表示されているデータ（図４の例でいえば、「坂井一雄」のデータの一部分）をクリックしてもよい。
【００２６】
また本実施例では、顧客ファイルを検索対象としたが、これに限定するものではなく、例えば売上データや文書ファイルなど、検索対象はどのようなデータ（データファイル）であっても構わない。さらに本実施例では、五十音順を例に説明したが、これに限るものではなく、ある一定の順序が観念できるものであれば良い。例えば、アルファベット順、いろは順、番号順、年月日順など、どのような順序のものであっても良い。
【００２７】
上記実施例においては特定のケースについて説明したが、本発明はこれら特定のケースに限るものではない。
（１）データの内容は実施例で説明したデータに限らない。即ち、同様の役割を果たすことができれば、他のどのようなデータであっても構わない。
（２）ハードウェアも実施例で説明したものに限らない。即ち、同様の役割を果たすことができれば、他のどのようなハードウェアであっても構わない。
（３）処理の内容や手順についても実施例で説明したものに限らない。即ち、同様の役割を果たすことができれば、他のどのような処理内容・処理手順であっても構わない。
（４）上記実施例に登場するデータレコードやデータファイルのデータ（データ項目）は、原則として各々関連づけられて（対応づけられて）記憶装置に記憶されているものとする。図面に表されたものについても同様である。
【図面の簡単な説明】
【００２８】
【図１】本発明を実施する装置の概略を表した図である。
【図２】顧客ファイルを表した図である。
【図３】実施例１の処理フローを表した図である。
【図４】表示モニタを表した図である。
【図５】顧客ファイルを表した他の図である。
【図６】五十音データを表した図である。
【図７】顧客ファイルを表した他の図である。
【図８】実施例２及び実施例３の処理フローを表した図である。
【図９】飛ばし人数第一データを表した図である。
【図１０】顧客ファイルを表した他の図である。
【図１１】飛ばし人数第二データを表した図である。
【図１２】顧客ファイルを表した他の図である。
【図１】
2008225934.tif 000003
【図２】
2008225934.tif 000004
【図３】
2008225934.tif 000005
【図４】
2008225934.tif 000006
【図５】
2008225934.tif 000007
【図６】
2008225934.tif 000008
【図７】
2008225934.tif 000009
【図８】
2008225934.tif 000010
【図９】
2008225934.tif 000011
【図１０】
2008225934.tif 000012
【図１１】
2008225934.tif 000013
【図１２】
2008225934.tif 000014